(57)【要約】      （修正有）【課題】ごみ袋と本体の開放口との間から本体内にごみが入り込んでも、容易に除去できるようにしたごみ袋用保持箱を提供する。【解決手段】ごみを入れるための可撓樹脂製のごみ袋Ｆをその開口１を開けた状態で保持するもので、下開放口１１及び上開放口１２を有し内部にごみ袋Ｆをその開口１を開けた状態で収容可能な収容空間Ｅとした筒状の本体１０を備え、この本体１０の上開放口１２を形成する開放口縁部１７に、上に入口４１を有して上下方向に所定長さ切込み形成されごみ袋Ｆの開口１を形成する開口縁部２の一部が挿入可能な複数のスリット４０を形成した。本体１０を、折り畳み可能にするとともに、スリット４０を、本体１０の開放口縁部１７の４つのコーナ部に夫々設けた。【選択図】図１
0003217459.tif 000002
【実用新案登録請求の範囲】
【請求項１】
ごみを入れるための可撓樹脂製のごみ袋をその開口を開けた状態で保持するごみ袋用保持箱において、
下開放口及び上開放口を有し内部にごみ袋をその開口を開けた状態で収容可能な収容空間とした筒状の本体を備え、該本体の上開放口を形成する開放口縁部に、上に入口を有して上下方向に所定長さ切込み形成されごみ袋の開口を形成する開口縁部の一部が挿入可能な複数のスリットを形成したことを特徴とするごみ袋用保持箱。
【請求項２】
上記本体を折り畳み可能にしたことを特徴とする請求項１記載のごみ袋用保持箱。
【請求項３】
上記本体を、第１側板，第２側板，第３側板及び第４側板の４つの側板を順に連設して形成し、上記第１側板及び第３側板を、夫々、互いに内側に折曲可能に形成し、該第１側板及び第３側板の折曲時に、上記第２側板及び第４側板が互いに近接するようにしたことを特徴とする請求項２記載のごみ袋用保持箱。
【請求項４】
上記第１側板及び第３側板を、ヒンジを介して連設される１対の板単体で構成し、上記第１側板の一方の板単体と上記第２側板とを回動可能にヒンジを介して連設し、上記第１側板の他方の板単体と上記第４側板とを回動可能にヒンジを介して連設し、上記第３側板の一方の板単体と上記第２側板とを回動可能にヒンジを介して連設し、上記第３側板の他方の板単体と上記第４側板とを回動可能にヒンジを介して連設したことを特徴とする請求項３記載のごみ袋用保持箱。
【請求項５】
上記本体が筒状になる状態で上記各側板の回動を規制するロック機構を設けたことを特徴とする請求項４記載のごみ袋用保持箱。
【請求項６】
上記本体を、第１側板，第２側板，第３側板及び第４側板の４つの側板を順に連設して形成し、上記スリットを、上記本体の開放口縁部の４つのコーナ部に夫々設けたことを特徴とする請求項１乃至５何れかに記載のごみ袋用保持箱。
【請求項７】
上記ごみ袋は、その開口縁部に互いに対向して突出する一対のリング状の把手部を備えるとともに、該把手部間に互いに対向して突出する一対の舌片部を備えたレジ袋で構成され、上記４つの側板のうち互いに対向する一対の第１側板及び第３側板の幅及び厚さを、上記レジ袋からなるごみ袋のリング状の把手部の孔に挿通される寸法に設定し、上記コーナ部に設けたスリットを、第１側板及び第３側板の側端に沿って設けたことを特徴とする請求項６記載のごみ袋用保持箱。
【請求項８】
上記スリットを、上記４つの側板のうち互いに対向する一対の第２側板及び第４側板の中間部に、上記レジ袋からなるごみ袋の舌片部を挿入可能に形成したことを特徴とする請求項７記載のごみ袋用保持箱。
【請求項９】
上記スリットの入口を、該スリットの一般部の幅よりも幅広になるテーパ状に形成したことを特徴とする請求項１乃至８何れかに記載のごみ袋用保持箱。
【考案の詳細な説明】
【技術分野】
【０００１】
本考案は、ごみを入れるための可撓樹脂製のごみ袋をその開口を開けた状態で保持し、ごみ箱として用いることができるごみ袋用保持箱に関する。
【背景技術】
【０００２】
従来、この種のごみ袋用保持箱としては、例えば、実用新案登録第３０６０９０８号公報（特許文献１）に示されるものが知られている。このごみ袋用保持箱は、上側に開放口を有した低壁のある容器状の本体を備え、この本体の開放口を形成する開放口縁部に、ごみ袋の開口を形成する開口縁部の一部が挿入可能な複数のスリットを形成して構成されている。そして、ごみ袋を装着するときは、ごみ袋をその開口を開けた状態で本体の内部に入れ、ごみ袋の開口縁部の一部をスリットに挿入して保持するようにしている。この状態で、ごみをごみ袋内に入れる。ごみ袋にごみが溜まったならば、スリットからごみ袋の開口縁部を抜き、本体からごみ袋を取り出して捨てることができるようにしている。
【先行技術文献】
【特許文献】
【０００３】
【特許文献１】実用新案登録第３０６０９０８号公報
【考案の概要】
【考案が解決しようとする課題】
【０００４】
ところで、上記従来のごみ袋用保持箱にあっては、本体は底壁がある容器状に形成されているので、ごみ袋を装着した状態でごみ袋にごみを入れる際に、細かいごみなどは、ごみ袋に入らないで、ごみ袋と本体の開放口との間から本体内に入り込むことがあるが、本体内に入ったごみは、底壁に受けられて本体内に溜まることから、しばしば、本体内に溜まったごみを捨てたり、底壁を拭くなどしなければならないことから、その分、作業が煩雑になってしまうという問題があった。
【０００５】
本考案は上記の問題点に鑑みて為されたもので、ごみ袋と本体の開放口との間から本体内にごみが入り込んでも、容易に除去できるようにして、機能性の向上を図ったごみ袋用保持箱を提供することを目的とする。
【課題を解決するための手段】
【０００６】
このような目的を達成するための本考案のごみ袋用保持箱は、ごみを入れるための可撓樹脂製のごみ袋をその開口を開けた状態で保持するごみ袋用保持箱において、
下開放口及び上開放口を有し内部にごみ袋をその開口を開けた状態で収容可能な収容空間とした筒状の本体を備え、該本体の上開放口を形成する開放口縁部に、上に入口を有して上下方向に所定長さ切込み形成されごみ袋の開口を形成する開口縁部の一部が挿入可能な複数のスリットを形成した構成としている。
【０００７】
これにより、ごみ袋を装着するときは、ごみ袋をその開口を開けた状態で本体の収容空間に入れ、ごみ袋の開口縁部の一部をスリットに挿入して保持する。この状態で、ごみをごみ袋内に入れる。この場合、本体は、下開放口及び上開放口を有した筒状に形成されているので、従来のような底壁が無く、そのため、ごみ袋を装着した状態でごみ袋にごみを入れる際に、細かいごみなどは、ごみ袋に入らないで、ごみ袋と本体の開放口との間から本体内に入り込むことがあるが、本体内に入ったごみは、本体の置かれた床上に落ちることになる。そのため、本体を動かせば、床上のごみを、例えば、掃除の際に、電気掃除機や箒等で容易に取り去ることができ、従来のように逐一、本体内から取り出す必要がなくなるので、煩雑さがなくなり、機能性を向上させることができる。ごみ袋にごみが溜まったならば、適時に、スリットからごみ袋の開口縁部を抜き、本体からごみ袋を取り出して捨てる。そして、再び、新しいごみ袋を装着して使用する。
【０００８】
そして、必要に応じ、上記本体を折り畳み可能にした構成としている。これにより、非使用時には、折り畳んでおくことができる。そのため、収納が容易になるとともに、持ち運びが容易になり、極めて便利になる。
【０００９】
この場合、上記本体を、第１側板，第２側板，第３側板及び第４側板の４つの側板を順に連設して形成し、第１側板及び第３側板を、夫々、互いに内側に折曲可能に形成し、該第１側板及び第３側板の折曲時に、上記第２側板及び第４側板が互いに近接するようにした構成にすることができる。
【００１０】
また、必要に応じ、上記第１側板及び第３側板を、ヒンジを介して連設される１対の板単体で構成し、上記第１側板の一方の板単体と上記第２側板とを回動可能にヒンジを介して連設し、上記第１側板の他方の板単体と上記第４側板とを回動可能にヒンジを介して連設し、上記第３側板の一方の板単体と上記第２側板とを回動可能にヒンジを介して連設し、上記第３側板の他方の板単体と上記第４側板とを回動可能にヒンジを介して連設した構成としている。
【００１１】
更に、必要に応じ、上記本体が筒状になる状態で上記各側板の回動を規制するロック機構を設けた構成としている。ロック機構により板単体の回動が規制されるので、使用時において、足をぶつけるなどしても本体の筒状の形状が崩れることがなく、ごみ袋の保持を安定させることができる。
【００１２】
そしてまた、必要に応じ、上記本体を、第１側板，第２側板，第３側板及び第４側板の４つの側板を順に連設して形成し、上記スリットを、上記本体の開放口縁部の４つのコーナ部に夫々設けた構成としている。これにより、ごみ袋を装着するときは、ごみ袋をその開口を開けた状態で本体の収容空間に入れ、開放口縁部の４つのコーナ部に対応するごみ袋の開口縁部の４つの部分を、夫々、各コーナ部のスリットに挿入して保持する。この場合、ごみ袋の開口縁部は、４方向の放射状に引っ張られるので、ごみ袋の開口を大きく開けて保持することができ、また、確実に保持することができる。
【００１３】
また、必要に応じ、上記ごみ袋は、その開口縁部に互いに対向して突出する一対のリング状の把手部を備えるとともに、該把手部間に互いに対向して突出する一対の舌片部を備えたレジ袋で構成され、上記４つの側板のうち互いに対向する一対の第１側板及び第３側板の幅及び厚さを、上記レジ袋からなるごみ袋のリング状の把手部の孔に挿通される寸法に設定し、上記コーナ部に設けたスリットを、第１側板及び第３側板の側端に沿って設けた構成としている。これにより、レジ袋からなるごみ袋を装着するときは、その開口を開けた状態で本体の収容空間に入れるとともに、各把手部を、その孔に互いに対向する第１側板及び第３側板が挿通するように、上から押し込む。この場合、コーナ部に設けられているスリットが、第１側板及び第３側板の側端に沿って設けられているので、把手部の基端部が自然にスリット内に挿入されるようになり、そのため、ごみ袋の装着を極めて容易に行うことができるようになる。
【００１４】
更に、必要に応じ、上記スリットを、上記４つの側板のうち互いに対向する一対の第２側板及び第４側板の中間部に、上記レジ袋からなるごみ袋の舌片部を挿入可能に形成した構成としている。レジ袋からなるごみ袋の舌片部をスリットに挿入することができるので、ごみ袋の開口をより一層大きく開けて保持することができ、また、より一層確実に保持することができる。
【００１５】
更にまた、必要に応じ、上記スリットの入口を、該スリットの一般部の幅よりも幅広になるテーパ状に形成した構成としている。スリットの入口が広くなるので、ごみ袋の開口縁部の一部を挿入し易くすることができる。
【考案の効果】
【００１６】
本考案によれば、本体は、下開放口及び上開放口を有した筒状に形成されているので、従来のような底壁が無く、そのため、ごみ袋を装着した状態でごみ袋にごみを入れる際に、細かいごみなどは、ごみ袋に入らないで、ごみ袋と本体の開放口との間から本体内に入り込むことがあるが、本体内に入ったごみは、本体の置かれた床上に落ちることになる。そのため、本体を動かせば、床上のごみを、例えば、掃除の際に、電気掃除機や箒等で容易に取り去ることができ、従来のように逐一、本体内から取り出す必要がなくなるので、煩雑さがなくなり、機能性を向上させることができる。
【図面の簡単な説明】
【００１７】
【図１】本考案の実施の形態に係るごみ袋用保持箱をレジ袋からなるごみ袋とともに示す一部切欠き斜視図である。
【図２】本考案の実施の形態に係るごみ袋用保持箱を示す下から見た斜視図である。
【図３】本考案の実施の形態に係るごみ袋用保持箱の使用状態を示す斜視図である。
【図４】本考案の実施の形態に係るごみ袋用保持箱を示し、（ａ）は平面断面図、（ｂ）は本体を折り畳んだときの状態を示す平面断面図である。
【図５】本考案の実施の形態に係るごみ袋用保持箱を示し、（ａ）は側面断面図、（ｂ）は正面断面図である。
【図６】本考案の別の実施の形態に係るごみ袋用保持箱をレジ袋からなるごみ袋とともに示す一部切欠き斜視図である。
【図７】本考案の別の実施の形態に係るごみ袋用保持箱を示す下から見た斜視図である。
【図８】本考案の別の実施の形態に係るごみ袋用保持箱の使用状態を示す斜視図である。
【図９】本考案の別の実施の形態に係るごみ袋用保持箱を示し、（ａ）は側面断面図、（ｂ）は正面断面図である。
【考案を実施するための形態】
【００１８】
以下、添付図面に基づいて、本考案の実施の形態に係るごみ袋用保持箱について詳細に説明する。
図１乃至図５に示すように、実施の形態に係るごみ袋用保持箱Ｂは、ごみを入れるための可撓樹脂製のごみ袋Ｆをその開口１を開けた状態で保持するものである。ごみ袋Ｆとしては、どのようなものでも良いが、本ごみ袋用保持箱Ｂは、主に、スーパーマーケットやコンビニエンスストアなどで、買い物の際に品物を入れるレジ袋（買い物袋）を、ごみ袋Ｆとして用いる際に適するように形成されている。
【００１９】
レジ袋からなるごみ袋Ｆは、一般に、その開口縁部２に互いに対向して突出する一対のリング状の把手部３を備えるとともに、この把手部３間に互いに対向して突出する一対の舌片部４を備えて構成されている。
【００２０】
本ごみ袋用保持箱Ｂは、下開放口１１及び上開放口１２を有し内部にごみ袋Ｆをその開口１を開けた状態で収容可能な収容空間Ｅとした筒状の本体１０を備えている。本体１０は、横断面が矩形枠状になるように、第１側板１３，第２側板１４，第３側板１５及び第４側板１６の４つの矩形状の側板を順に連設して形成されている。側板１３，１４，１５，１６は、夫々、樹脂で型成形されている。
【００２１】
本体１０は、折り畳み可能に形成されている。詳しくは、第１側板１３及び第３側板１５は、夫々、互いに内側に折曲可能に形成され、図４（ｂ）に示すように、第１側板１３及び第３側板１５の折曲時に、第２側板１４及び第４側板１６が互いに近接するようにしている。より詳しくは、第１側板１３及び第３側板１５は、ヒンジ２０を介して連設される１対の板単体２１，２２で構成されている。ヒンジ２０は、隣接する板単体２１，２２の側端縁に一体成形され、隣接する板単体２１，２２との間で、交互に同軸に噛合する軸受部２３と、軸受部２３に挿通される軸部２４とから構成されている。
【００２２】
また、第１側板１３の一方の板単体２１と第２側板１４とは、回動可能にヒンジ２５を介して連設され、第１側板１３の他方の板単体２２と第４側板１６とは、回動可能にヒンジ２５を介して連設され、第３側板１５の一方の板単体２１と第２側板１４とは、回動可能にヒンジ２５を介して連設され、第３側板１５の他方の板単体２２と第４側板１６とは、回動可能にヒンジ２５を介して連設されている。各ヒンジ２５は、側板１３，１４，１５，１６の側端縁に一体成形され、隣接する側板との間で、交互に同軸に噛合する軸受部２６と、軸受部２６に挿通される軸部２７とから構成されている。
【００２３】
更に、ごみ袋用保持箱Ｂには、本体１０が筒状になる状態で各側板１３，１４，１５，１６の回動を規制するロック機構３０が設けられている。ロック機構３０は、隣接する第１側板１３と第４側板１６との間であって、これらのコーナ側の下端部間に係止されて架設される板状の第１架設杆３１と、各側板１３，１６に形成され第１架設杆３１を着脱可能に係止する第１係止孔３２とを備えて構成されるとともに、隣接する第２側板１４と第３側板１５との間であって、これらのコーナ側の下端部間に係止されて架設される板状の第２架設杆３３と、各側板１４，１５に形成され第２架設杆３３を着脱可能に係止する第２係止孔３４とを備えて構成されている。
【００２４】
また、図５に示すように、４つの側板１３，１４，１５，１６のうち互いに対向する一対の第１側板１３及び第３側板１５の幅Ｄ１及びヒンジを含む厚さｔは、レジ袋からなるごみ袋Ｆのリング状の把手部３の孔に挿通される寸法に設定されている。また、４つの側板のうち互いに対向する一対の第２側板１４及び第４側板１６の幅Ｄ２は、第１側板１３及び第３側板１５の幅Ｄ１より大きく設定されている。収容空間Ｅの大きさは、例えば、横Ｘが、Ｘ＝１００〜３００ｍｍ、縦Ｙが、Ｙ＝１００〜３００ｍｍ、高さＨが、Ｈ＝２５０〜４００ｍｍに設定されている。実施の形態では、Ｘ＝１４０ｍｍ、Ｙ＝２６０ｍｍ、Ｈ＝３６０ｍｍに設定されている。寸法はこれに限定されない。
【００２５】
更にまた、本体１０の上開放口１２を形成する開放口縁部１７には、上に入口４１を有して上下方向に所定長さ切込み形成され、ごみ袋Ｆの開口１を形成する開口縁部２の一部が挿入可能な複数のスリット４０が形成されている。実施の形態では、スリット４０は、本体１０の開放口縁部１７の４つのコーナ部に夫々設けられている。実施の形態では、コーナ部に設けたスリット４０は、第１側板１３及び第３側板１５の側端に沿って設けられている。また、スリット４０は、４つの側板のうち互いに対向する一対の第２側板１４及び第４側板１６の中間部に、舌片部４を挿入可能に形成されている。更に、各スリット４０の入口４１は、スリット４０の一般部の幅よりも幅広になるテーパ状に形成されている。スリット４０においては、例えば、その長さＬが、Ｌ＝１０〜３０ｍｍ、その一般部の幅Ｔが、Ｔ＝０．５〜１．５ｍｍに設定されている。実施の形態では、Ｌ＝２０ｍｍ、Ｔ＝１ｍｍに設定されている。寸法はこれに限定されない。
【００２６】
従って、この実施の形態に係るごみ袋用保持箱Ｂによれば、非使用時には、図４（ｂ）に示すように、ロック機構３０の第１架設杆３１を第１係止孔３２から外すとともに、第２架設杆３３を第２係止孔３４から外し、ヒンジ２０，２５を介して、第１側板１３及び第３側板１５を、夫々、互いに内側に折曲し、第２側板１４及び第４側板１６が互いに近接するように折り畳んでおくことができる。そのため、収納が容易になるとともに、持ち運びが容易になり、極めて便利になる。
【００２７】
ごみ袋用保持箱Ｂの使用時においては、図４（ｂ）に示す折り畳んだ状態から、図４（ａ）他に示すように、先ず、ヒンジ２０，２５を介して、第１側板１３及び第３側板１５を、夫々、互いに外側に折曲し、側板１３，１４，１５，１６が筒状になる状態にする。それから、ロック機構３０の第１架設杆３１を第１係止孔３２に挿入して係止させるとともに、第２架設杆３３を第２係止孔３４に挿入して係止させ、ロック状態にする。
【００２８】
この状態で、レジ袋からなるごみ袋Ｆを装着する。この際には、ごみ袋Ｆをその開口１を開けた状態で本体１０の収容空間Ｅに入れ、ごみ袋Ｆの開口縁部２の一部をスリット４０に挿入して保持する。この場合、レジ袋からなるごみ袋Ｆの各把手部３を、その孔に互いに対向する第１側板１３及び第３側板１５が挿通するように、上から押し込む。この場合、コーナ部に設けたスリット４０が、第１側板１３及び第３側板１５の側端に沿って設けられているので、把手部３の基端部が自然にスリット４０内に挿入されるようになり、そのため、ごみ袋Ｆの装着を極めて容易に行うことができるようになる。
【００２９】
これにより、開放口縁部１７の４つのコーナ部に対応するごみ袋Ｆの開口縁部２の４つの部分が、夫々、各コーナ部のスリット４０に挿入されて保持される。この場合、ごみ袋Ｆの開口縁部２は、４方向の放射状に引っ張られるので、ごみ袋Ｆの開口１を大きく開けて保持することができ、また、確実に保持することができる。
【００３０】
また、レジ袋からなるごみ袋Ｆの舌片部４を、４つの側板のうち互いに対向する一対の第２側板１４及び第４側板１６の中間部に形成したスリット４０に挿入する。この場合、ごみ袋Ｆの舌片部４をスリット４０に挿入することができるので、ごみ袋Ｆの開口１をより一層大きく開けて保持することができ、また、より一層確実に保持することができる。
【００３１】
更に、ごみ袋Ｆの開口縁部２のスリット４０への挿入に際しては、スリット４０の入口４１が、スリット４０の一般部の幅よりも幅広になるテーパ状に形成されているので、スリット４０の入口４１が広くなっていることから、ごみ袋Ｆの開口縁部２の一部を挿入し易くすることができる。
【００３２】
この状態で、ごみをごみ袋Ｆ内に入れる。この場合、本体１０は、下開放口１１及び上開放口１２を有した筒状に形成されているので、従来のような底壁が無く、そのため、ごみ袋Ｆを装着した状態でごみ袋Ｆにごみを入れる際に、細かいごみ（図４中Ｒ）などは、ごみ袋Ｆに入らないで、ごみ袋Ｆと本体１０の開放口との間から本体１０内に入り込むことがあるが、本体１０内に入ったごみＲは、本体１０の置かれた床上に落ちることになる。そのため、本体１０を動かせば、床上のごみＲを、例えば、掃除の際に、電気掃除機や箒等で容易に取り去ることができ、従来のように逐一、本体内から取り出す必要がなくなるので、煩雑さがなくなり、機能性を向上させることができる。
【００３３】
また、使用時においては、本体１０に足をぶつけるなどしても、本体１０はロック機構３０により、筒状になる状態で各側板１３，１４，１５，１６の回動が規制されるので、本体１０の筒状の形状が崩れることがなく、ごみ袋Ｆの保持を安定させることができる。
【００３４】
ごみ袋Ｆにごみが溜まったならば、適時に、スリット４０からごみ袋Ｆの開口縁部２を抜き、本体１０からごみ袋Ｆを取り出して捨てる。そして、再び、新しいごみ袋Ｆを装着して使用する。
【００３５】
次に、本考案の別の実施の形態に係るごみ袋用保持箱について詳細に説明する。
図６乃至図９に示すように、実施の形態に係るごみ袋用保持箱Ｂは、上記と同様に、ごみを入れるための可撓樹脂製の主にレジ袋からなるごみ袋Ｆをその開口１を開けた状態で保持するものである。レジ袋からなるごみ袋Ｆは、一般に、その開口縁部２に互いに対向して突出する一対のリング状の把手部３を備えるとともに、この把手部３間に互いに対向して突出する一対の舌片部４を備えて構成されている。
【００３６】
本ごみ袋用保持箱Ｂは、下開放口１１及び上開放口１２を有し内部にごみ袋Ｆをその開口１を開けた状態で収容可能な収容空間Ｅとした筒状の本体１０を備えている。詳しくは、本体１０は、横断面が矩形枠状になるように、第１側板１３，第２側板１４，第３側板１５及び第４側板１６の４つの矩形状の側板を順に連設して形成されている。側板１３，１４，１５，１６は、例えば、木製、樹脂製、金属製などどのような材質であっても良い。側板１３，１４，１５，１６の連設は、接着剤で接合し、あるいは、ネジや釘などで止着するなど、適宜の手段を用いることができる。また、例えば、樹脂の場合には、本体１０を型で一体成形することにより連設することができる。
【００３７】
実施の形態では、４つの側板１３，１４，１５，１６のうち互いに対向する一対の第１側板１３及び第３側板１５の幅Ｄ１及び厚さｔは、レジ袋からなるごみ袋Ｆのリング状の把手部３の孔に挿通される寸法に設定されている。また、４つの側板のうち互いに対向する一対の第２側板１４及び第４側板１６の幅Ｄ２は、第１側板１３及び第３側板１５の幅Ｄ１より大きく設定されている。１つの組みを構成する第１側板１３及び第３側板１５の側端面は、第２側板１４及び第４側板１６の表面に接合されている。収容空間Ｅの大きさは、例えば、横Ｘが、Ｘ＝１００〜３００ｍｍ、縦Ｙが、Ｙ＝１００〜３００ｍｍ、高さＨが、Ｈ＝２５０〜４００ｍｍに設定されている。実施の形態では、Ｘ＝１４０ｍｍ、Ｙ＝２６０ｍｍ、Ｈ＝３６０ｍｍに設定されている。寸法はこれに限定されない。
【００３８】
また、本体１０の上開放口１２を形成する開放口縁部１７には、上に入口４１を有して上下方向に所定長さ切込み形成され、ごみ袋Ｆの開口１を形成する開口縁部２の一部が挿入可能な複数のスリット４０が形成されている。実施の形態では、スリット４０は、本体１０の開放口縁部１７の４つのコーナ部に夫々設けられている。実施の形態では、コーナ部に設けたスリット４０は、第１側板１３及び第３側板１５の側端に沿って設けられている。また、スリット４０は、４つの側板のうち互いに対向する一対の第２側板１４及び第４側板１６の中間部に、舌片部４を挿入可能に形成されている。更に、各スリット４０の入口４１は、スリット４０の一般部の幅よりも幅広になるテーパ状に形成されている。スリット４０においては、例えば、その長さＬが、Ｌ＝１０〜３０ｍｍ、その一般部の幅Ｔが、Ｔ＝０．５〜１．５ｍｍに設定されている。実施の形態では、Ｌ＝２０ｍｍ、Ｔ＝１ｍｍに設定されている。寸法はこれに限定されない。
【００３９】
従って、この実施の形態に係るごみ袋用保持箱Ｂによれば、レジ袋からなるごみ袋Ｆを装着するときは、ごみ袋Ｆをその開口１を開けた状態で本体１０の収容空間Ｅに入れ、ごみ袋Ｆの開口縁部２の一部をスリット４０に挿入して保持する。この場合、レジ袋からなるごみ袋Ｆの各把手部３を、その孔に互いに対向する第１側板１３及び第３側板１５が挿通するように、上から押し込む。この場合、コーナ部に設けたスリット４０が、第１側板１３及び第３側板１５の側端に沿って設けられているので、把手部３の基端部が自然にスリット４０内に挿入されるようになり、そのため、ごみ袋Ｆの装着を極めて容易に行うことができるようになる。
【００４０】
これにより、開放口縁部１７の４つのコーナ部に対応するごみ袋Ｆの開口縁部２の４つの部分が、夫々、各コーナ部のスリット４０に挿入されて保持される。この場合、ごみ袋Ｆの開口縁部２は、４方向の放射状に引っ張られるので、ごみ袋Ｆの開口１を大きく開けて保持することができ、また、確実に保持することができる。
【００４１】
また、レジ袋からなるごみ袋Ｆの舌片部４を、４つの側板のうち互いに対向する一対の第２側板１４及び第４側板１６の中間部に形成したスリット４０に挿入する。この場合、ごみ袋Ｆの舌片部４をスリット４０に挿入することができるので、ごみ袋Ｆの開口１をより一層大きく開けて保持することができ、また、より一層確実に保持することができる。
【００４２】
更に、ごみ袋Ｆの開口縁部２のスリット４０への挿入に際しては、スリット４０の入口４１が、スリット４０の一般部の幅よりも幅広になるテーパ状に形成されているので、スリット４０の入口４１が広くなっていることから、ごみ袋Ｆの開口縁部２の一部を挿入し易くすることができる。
【００４３】
この状態で、ごみをごみ袋Ｆ内に入れる。この場合、本体１０は、下開放口１１及び上開放口１２を有した筒状に形成されているので、従来のような底壁が無く、そのため、ごみ袋Ｆを装着した状態でごみ袋Ｆにごみを入れる際に、細かいごみ（図９中Ｒ）などは、ごみ袋Ｆに入らないで、ごみ袋Ｆと本体１０の開放口との間から本体１０内に入り込むことがあるが、本体１０内に入ったごみＲは、本体１０の置かれた床上に落ちることになる。そのため、本体１０を動かせば、床上のごみＲを、例えば、掃除の際に、電気掃除機や箒等で容易に取り去ることができ、従来のように逐一、本体内から取り出す必要がなくなるので、煩雑さがなくなり、機能性を向上させることができる。
【００４４】
ごみ袋Ｆにごみが溜まったならば、適時に、スリット４０からごみ袋Ｆの開口縁部２を抜き、本体１０からごみ袋Ｆを取り出して捨てる。そして、再び、新しいごみ袋Ｆを装着して使用する。
【００４５】
尚、上記折り畳み式の実施の形態において、ヒンジ２０，２５は、板単体２１，２２、側板１３，１４，１５，１６に一体に設けたが、必ずしもこれに限定されるものではなく、例えば、所謂樹脂ヒンジで構成し、あるいは、市販されているような別体の金属製のヒンジ（図示せず）を用い、これを板単体２１，２２間、側板１３，１４，１５，１６間に付設するようにしても良く、適宜変更して差支えない。また、ロック機構３０は、第１架設杆３１を第１係止孔３２に挿入して係止し、第２架設杆３３を第２係止孔３４に挿入して係止する構成にしたが、必ずしもこれに限定されるものではなく、例えばビスで固着するようにする等種々の手段により実現でき、適宜変更して差支えない。
【００４６】
更に、上記各実施の形態において、スリット４０の数は上述した数に限定されるものではなく、適宜変更して差支えない。また、レジ袋以外のごみ袋を使用することは一向に差支えない。要するに、本考案は、上述した実施の形態に限定されず、当業者は、本考案の新規な教示及び効果から実質的に離れることなく、これら例示である実施の形態に多くの変更を加えることが容易であり、これらの多くの変更は本考案の範囲に含まれる。
【符号の説明】
【００４７】
Ｂ  ごみ袋用保持箱
Ｆ  ごみ袋（レジ袋）
１  開口
２  開口縁部
３  把手部
４  舌片部
１０  本体
１１  下開放口
１２  上開放口
Ｅ  収容空間
１３  第１側板
１４  第２側板
１５  第３側板
１６  第４側板
１７  開放口縁部
２０  ヒンジ
２１，２２  板単体
２３  軸受部
２４  軸部
２５  ヒンジ
２６  軸受部
２７  軸部
３０  ロック機構
３１  第１架設杆
３２  第１係止孔
３３  第２架設杆
３４  第２係止孔
４０  スリット
４１  入口
【図１】
0003217459.tif 000003
【図２】
0003217459.tif 000004
【図３】
0003217459.tif 000005
【図４】
0003217459.tif 000006
【図５】
0003217459.tif 000007
【図６】
0003217459.tif 000008
【図７】
0003217459.tif 000009
【図８】
0003217459.tif 000010
【図９】
0003217459.tif 000011